(57)【特許請求の範囲】
【請求項１】
無線通信システムにおけるチャネル品質を報告する方法であって、
前記方法は、機器によって実行され、
前記方法は、
前記機器により、複数のダウンリンクｃｏｍｐｏｎｅｎｔ  ｃａｒｒｉｅｒ（ＣＣ）のうちの一つのダウンリンクＣＣを介してｐｈｙｓｉｃａｌ  ｄｏｗｎｌｉｎｋ  ｃｏｎｔｒｏｌ  ｃｈａｎｎｅｌ（ＰＤＣＣＨ）上でアップリンクグラントを受信することであって、前記アップリンクグラントは、アップリンク割当と、ｃｈａｎｎｅｌ  ｑｕａｌｉｔｙ  ｉｎｄｉｃａｔｏｒ（ＣＱＩ）報告のトリガリングを示すＣＱＩ要求とを含む、ことと、
前記アップリンク割当に基づいてアップリンクＣＣを介して前記ＣＱＩ要求により示されるダウンリンクＣＣに対するＣＱＩを報告することと
を含み、
前記ＣＱＩ要求は、
前記アップリンクＣＣにリンクされた前記複数のダウンリンクＣＣのうちの一つのダウンリンクＣＣに対するＣＱＩ報告のトリガリングと、
前記複数のダウンリンクＣＣのうちの第１の組のダウンリンクＣＣに対するＣＱＩ報告のトリガリングと、
前記複数のダウンリンクＣＣのうちの第２の組のダウンリンクＣＣに対するＣＱＩ報告のトリガリングと
のうちの一つを示す、方法。
【請求項２】
前記アップリンクグラントは、前記アップリンク割当がスケジューリングされる前記アップリンクＣＣを示すｃａｒｒｉｅｒ  ｉｎｄｉｃａｔｏｒ  ｆｉｅｌｄ（ＣＩＦ）をさらに含む、請求項１に記載の方法。
【請求項３】
前記ＣＱＩ要求に対するビットの数が２である、請求項１に記載の方法。
【請求項４】
前記ＣＱＩ要求の値が第１の値に設定される場合、前記ＣＱＩ要求は、前記アップリンクＣＣにリンクされた前記複数のダウンリンクＣＣのうちの前記一つのダウンリンクＣＣに対するＣＱＩ報告の前記トリガリングを示し、前記ＣＱＩ要求の前記値が第２の値に設定される場合、前記ＣＱＩ要求は、前記複数のダウンリンクＣＣのうちの前記第１の組のダウンリンクＣＣに対するＣＱＩ報告の前記トリガリングを示し、前記ＣＱＩ要求の前記値が第３の値に設定される場合、前記ＣＱＩ要求は、前記複数のダウンリンクＣＣのうちの前記第２の組のダウンリンクＣＣに対するＣＱＩ報告の前記トリガリングを示す、請求項１に記載の方法。
【請求項５】
前記第１の組のダウンリンクＣＣ及び前記第２の組のダウンリンクＣＣに関する情報を基地局から受信することをさらに含む、請求項１に記載の方法。
【請求項６】
前記ダウンリンクＣＣと前記アップリンクＣＣとの間のリンケージがシステム情報を経由して受信される、請求項５に記載の方法。
【請求項７】
無線通信システムにおけるチャネル品質を報告するように構成された装置であって、
前記装置は、
無線信号を送信及び受信するように構成されたｒａｄｉｏ  ｆｒｅｑｕｅｎｃｙ（ＲＦ）部と、
前記ＲＦ部と連結されたプロセッサと
を含み、
前記プロセッサは、
複数のダウンリンクｃｏｍｐｏｎｅｎｔ  ｃａｒｒｉｅｒ（ＣＣ）のうちの一つのダウンリンクＣＣを介してｐｈｙｓｉｃａｌ  ｄｏｗｎｌｉｎｋ  ｃｏｎｔｒｏｌ  ｃｈａｎｎｅｌ（ＰＤＣＣＨ）上でアップリンクグラントを受信することであって、前記アップリンクグラントは、アップリンク割当と、ｃｈａｎｎｅｌ  ｑｕａｌｉｔｙ  ｉｎｄｉｃａｔｏｒ（ＣＱＩ）報告のトリガリングを示すＣＱＩ要求とを含む、ことと、
前記アップリンク割当に基づいてアップリンクＣＣを介して前記ＣＱＩ要求により示されるダウンリンクＣＣに対するＣＱＩを報告することと
を行うように構成され、
前記ＣＱＩ要求は、
前記アップリンクＣＣにリンクされた前記複数のダウンリンクＣＣのうちの一つのダウンリンクＣＣに対するＣＱＩ報告のトリガリングと、
前記複数のダウンリンクＣＣのうちの第１の組のダウンリンクＣＣに対するＣＱＩ報告のトリガリングと、
前記複数のダウンリンクＣＣのうちの第２の組のダウンリンクＣＣに対するＣＱＩ報告のトリガリングと
のうちの一つを示す、装置。
【請求項８】
前記アップリンクグラントは、前記アップリンク割当がスケジューリングされる前記アップリンクＣＣを示すｃａｒｒｉｅｒ  ｉｎｄｉｃａｔｏｒ  ｆｉｅｌｄ（ＣＩＦ）をさらに含む、請求項７に記載の装置。
【請求項９】
前記ＣＱＩ要求に対するビットの数が２である、請求項７に記載の装置。
【請求項１０】
前記ＣＱＩ要求の値が第１の値に設定される場合、前記ＣＱＩ要求は、前記アップリンクＣＣにリンクされた前記複数のダウンリンクＣＣのうちの前記一つのダウンリンクＣＣに対するＣＱＩ報告の前記トリガリングを示し、前記ＣＱＩ要求の前記値が第２の値に設定される場合、前記ＣＱＩ要求は、前記複数のダウンリンクＣＣのうちの前記第１の組のダウンリンクＣＣに対するＣＱＩ報告の前記トリガリングを示し、前記ＣＱＩ要求の前記値が第３の値に設定される場合、前記ＣＱＩ要求は、前記複数のダウンリンクＣＣのうちの前記第２の組のダウンリンクＣＣに対するＣＱＩ報告の前記トリガリングを示す、請求項７に記載の装置。
【請求項１１】
前記プロセッサは、前記第１の組のダウンリンクＣＣ及び前記第２の組のダウンリンクＣＣに関する情報を基地局から受信するように構成されている、請求項７に記載の装置。
【発明の詳細な説明】
【技術分野】
【０００１】
本発明は、無線通信に関し、より詳しくは、無線通信システムにおけるチャネル品質報告方法及び装置に関する。
【背景技術】
【０００２】
無線通信システムの効率を上げるためにチャネル品質を知るのが必須である。端末はダウンリンクチャネルの品質を基地局に知らせ、チャネル品質を示す指標をＣＱＩ（Ｃｈａｎｎｅｌ  Ｑｕａｌｉｔｙ  Ｉｎｄｉｃａｔｏｒ）またはＣＳＩ（Ｃｈａｎｎｅｌ  Ｓｔａｔｅ  Ｉｎｄｉｃａｔｏｒ）という。
【０００３】
ＣＱＩは、チャネル状態（例、ＳＩＮＲ（Ｓｉｇｎａｌ  ｔｏ  Ｉｎｔｅｒｆｅｒｅｎｃｅ−ｐｌｕｓ−Ｎｏｉｓｅ  Ｒａｔｉｏ）、ＣＩＮＲ（Ｃａｒｒｉｅｒ  ｔｏ  Ｉｎｔｅｒｆｅｒｅｎｃｅ  ａｎｄ  Ｎｏｉｓｅ  Ｒａｔｉｏ）、ＢＥＲ（Ｂｉｔ  Ｅｒｒｏｒ  Ｒａｔｅ）、ＦＥＲ（Ｆｒａｍｅ  Ｅｒｒｏｒ  Ｒａｔｅ））を量子化した値、或いはＭＣＳ（Ｍｏｄｕｌａｔｉｏｎ  ａｎｄ  Ｃｏｄｉｎｇ  Ｓｃｈｅｍｅ）テーブル内のＭＣＳインデックスのように示すことができる。また、多重アンテナシステムにおけるＣＱＩは、ＲＩ（ｒａｎｋ  ｉｎｄｉｃａｔｏｒ）及び／またはＰＭＩ（Ｐｒｅｃｏｄｉｎｇ  Ｍａｔｒｉｘ  Ｉｎｄｉｃａｔｏｒ）を含むことができる。
【０００４】
３ＧＰＰ（３ｒｄ  Ｇｅｎｅｒａｔｉｏｎ  Ｐａｒｔｎｅｒｓｈｉｐ  Ｐｒｏｊｅｃｔ）ＴＳ（Ｔｅｃｈｎｉｃａｌ  Ｓｐｅｃｉｆｉｃａｔｉｏｎ）リリース（Ｒｅｌｅａｓｅ）８に基づいている３ＧＰＰ  ＬＴＥ（ｌｏｎｇ  ｔｅｒｍ  ｅｖｏｌｕｔｉｏｎ）は有力な次世代移動通信標準である。
【０００５】
一般的な無線通信システムで、アップリンクとダウンリンクとの間の帯域幅は、互いに異なるように設定されても、主に一つのコンポーネント搬送波（ｃｏｍｐｏｎｅｎｔ  ｃａｒｒｉｅｒ）のみを考慮している。３ＧＰＰ  ＬＴＥでも単一搬送波に基づき、アップリンクとダウンリンクを構成する搬送波の数が各々１個であり、アップリンクの帯域幅とダウンリンクの帯域幅が一般的に互いに対称的である。
【０００６】
然しながら、全世界的に一部地域を除いては大きい帯域幅の周波数割当が容易でない。従って、断片化された小さい帯域を效率的に使用するための技術として、周波数領域で物理的に複数個のバンドを結合して論理的に大きい帯域のバンドを使用することと同じ効果をあらわすようにするためのスペクトラム集成（Ｓｐｅｃｔｒｕｍ  Ａｇｇｒｅｇａｔｉｏｎ）技術が開発されている。
【０００７】
スペクトラム集成には、例えば、たとえ、３ＧＰＰ  ＬＴＥは、最大２０ＭＨｚの帯域幅をサポートするとしても、複数のコンポーネント搬送波を使用して１００ＭＨｚのシステム帯域幅をサポートするようにする技術及びアップリンクとダウンリンクとの間に非対称的帯域幅を割り当てる技術が含まれる。
【０００８】
３ＧＰＰ  ＬＴＥは、シングルコンポーネント搬送波に基づいてチャネル品質を報告することができるように設計された。然しながら、多重搬送波が導入されることによって、多重搬送波システムでチャネル品質を報告することができる技法が要求される。
【発明の概要】
【発明が解決しようとする課題】
【０００９】
本発明が解決しようとする技術的課題は、無線通信システムにおけるチャネル品質報告方法及び装置を提供することである。
【課題を解決するための手段】
【００１０】
一態様において、無線通信システムにおけるチャネル品質報告方法は、基地局から複数のダウンリンクＣＣ（ｃｏｍｐｏｎｅｎｔ  ｃａｒｒｉｅｒ）のうち一つを介してアップリンクグラントを受信し、前記アップリンクグラントは、アップリンク割当とＣＱＩ報告の発生を指示するＣＱＩ（ｃｈａｎｎｅｌ  ｑｕａｌｉｔｙ  ｉｎｄｉｃａｔｏｒ）要求を含み、及び前記基地局にリンクされたダウンリンクＣＣのＣＱＩを報告することを含み、前記リンクされたダウンリンクＣＣは、前記複数のダウンリンクＣＣのうち前記アップリンク割当がスケジューリングされるアップリンクＣＣにリンクされたダウンリンクＣＣである。
【００１１】
前記アップリンクグラントは、前記アップリンク割当がスケジューリングされる前記アップリンクＣＣを示すＣＩＦ（ｃａｒｒｉｅｒ  ｉｎｄｉｃａｔｏｒ  ｆｉｅｌｄ）をさらに含む。
【００１２】
前記方法は、前記基地局から少なくとも一つのアップリンクＣＣと前記複数のダウンリンクＣＣとの間の第１のＣＣリンケージをシステム情報を介して受信することをさらに含み、前記アップリンク割当がスケジューリングされる前記アップリンクＣＣは、前記第１のＣＣリンケージによって決定される。
【００１３】
前記方法は、前記基地局から少なくとも一つのアップリンクＣＣと前記複数のダウンリンクＣＣとの間の第２のＣＣリンケージをＲＲＣ（Ｒａｄｉｏ  Ｒｅｓｏｕｒｃｅ  Ｃｏｎｔｒｏｌ）メッセージを介して受信することをさらに含み、前記アップリンク割当がスケジューリングされる前記アップリンクＣＣは、前記第２のＣＣリンケージによって決定される。
【００１４】
他の態様において、無線通信システムにおけるチャネル品質を報告する装置が提供される。前記装置は、無線信号を送信及び受信するＲＦ（ｒａｄｉｏ  ｆｒｅｑｕｅｎｃｙ）部、及び前記ＲＦ部と連結されるプロセッサを含み、前記プロセッサは、基地局から複数のダウンリンクＣＣ（ｃｏｍｐｏｎｅｎｔ  ｃａｒｒｉｅｒ）のうち一つを介してアップリンクグラントを受信し、前記アップリンクグラントは、アップリンク割当とＣＱＩ報告の発生を指示するＣＱＩ（ｃｈａｎｎｅｌ  ｑｕａｌｉｔｙ  ｉｎｄｉｃａｔｏｒ）要求を含み、及び前記基地局にリンクされたダウンリンクＣＣのＣＱＩを報告し、前記リンクされたダウンリンクＣＣは、前記複数のダウンリンクＣＣのうち前記アップリンク割当がスケジューリングされるアップリンクＣＣにリンクされたダウンリンクＣＣである。
例えば、本発明は以下の項目も提供する。
（項目１）
無線通信システムにおけるチャネル品質報告方法において、
基地局から複数のダウンリンクＣＣ（ｃｏｍｐｏｎｅｎｔ  ｃａｒｒｉｅｒ）のうち一つを介してアップリンクグラントを受信し、上記アップリンクグラントは、アップリンク割当とＣＱＩ報告の発生を指示するＣＱＩ（ｃｈａｎｎｅｌ  ｑｕａｌｉｔｙ  ｉｎｄｉｃａｔｏｒ）要求を含み、及び
上記基地局にリンクされたダウンリンクＣＣのＣＱＩを報告することを含み、
上記リンクされたダウンリンクＣＣは、上記複数のダウンリンクＣＣのうち上記アップリンク割当がスケジューリングされるアップリンクＣＣにリンクされたダウンリンクＣＣであることを特徴とするチャネル品質報告方法。
（項目２）
上記アップリンクグラントは、上記アップリンク割当がスケジューリングされる上記アップリンクＣＣを示すＣＩＦ（ｃａｒｒｉｅｒ  ｉｎｄｉｃａｔｏｒ  ｆｉｅｌｄ）をさらに含むことを特徴とする項目１に記載のチャネル品質報告方法。
（項目３）
上記基地局から少なくとも一つのアップリンクＣＣと上記複数のダウンリンクＣＣとの間の第１のＣＣリンケージをシステム情報を介して受信することをさらに含み、上記アップリンク割当がスケジューリングされる上記アップリンクＣＣは、上記第１のＣＣリンケージによって決定されることを特徴とする項目１に記載のチャネル品質報告方法。
（項目４）
上記ＣＱＩ要求は、上記ＣＱＩ報告の発生と上記第１のＣＣリンケージを指示することを特徴とする項目３に記載のチャネル品質報告方法。
（項目５）
上記基地局から少なくとも一つのアップリンクＣＣと上記複数のダウンリンクＣＣとの間の第２のＣＣリンケージをＲＲＣ（Ｒａｄｉｏ  Ｒｅｓｏｕｒｃｅ  Ｃｏｎｔｒｏｌ）メッセージを介して受信することをさらに含み、上記アップリンク割当がスケジューリングされる上記アップリンクＣＣは、上記第２のＣＣリンケージによって決定されることを特徴とする項目１に記載のチャネル品質報告方法。
（項目６）
上記ＣＱＩ要求は、上記ＣＱＩ報告の発生と上記第２のＣＣリンケージを指示することを特徴とする項目５に記載のチャネル品質報告方法。
（項目７）
上記第２のＣＣリンケージは、上記複数のダウンリンクＣＣのうち上記ＣＱＩが報告されるダウンリンクＣＣのリストを含むことを特徴とする項目６に記載のチャネル品質報告方法。
（項目８）
上記第２のＣＣリンケージは、上記複数のダウンリンクＣＣのうち上記ＣＱＩが報告される全ての活性ダウンリンクＣＣを指示することを特徴とする項目６に記載のチャネル品質報告方法。
（項目９）
無線通信システムにおけるチャネル品質を報告する装置において、
無線信号を送信及び受信するＲＦ（ｒａｄｉｏ  ｆｒｅｑｕｅｎｃｙ）部；及び、
上記ＲＦ部と連結されるプロセッサ；を含み、
上記プロセッサは、
基地局から複数のダウンリンクＣＣ（ｃｏｍｐｏｎｅｎｔ  ｃａｒｒｉｅｒ）のうち一つを介してアップリンクグラントを受信し、上記アップリンクグラントは、アップリンク割当とＣＱＩ報告の発生を指示するＣＱＩ（ｃｈａｎｎｅｌ  ｑｕａｌｉｔｙ  ｉｎｄｉｃａｔｏｒ）要求を含み、及び
上記基地局にリンクされたダウンリンクＣＣのＣＱＩを報告し、
上記リンクされたダウンリンクＣＣは、上記複数のダウンリンクＣＣのうち上記アップリンク割当がスケジューリングされるアップリンクＣＣにリンクされたダウンリンクＣＣであることを特徴とする装置。
（項目１０）
上記アップリンクグラントは、上記アップリンク割当がスケジューリングされる上記アップリンクＣＣを示すＣＩＦ（ｃａｒｒｉｅｒ  ｉｎｄｉｃａｔｏｒ  ｆｉｅｌｄ）をさらに含むことを特徴とする項目９に記載の装置。
（項目１１）
上記プロセッサは、上記基地局から少なくとも一つのアップリンクＣＣと上記複数のダウンリンクＣＣとの間の第１のＣＣリンケージをシステム情報を介して受信し、上記アップリンク割当がスケジューリングされる上記アップリンクＣＣは、上記第１のＣＣリンケージによって決定されることを特徴とする項目９に記載の装置。
（項目１２）
上記ＣＱＩ要求は、上記ＣＱＩ報告の発生と上記第１のＣＣリンケージを指示することを特徴とする項目１１に記載の装置。
（項目１３）
上記プロセッサは、上記基地局から少なくとも一つのアップリンクＣＣと上記複数のダウンリンクＣＣとの間の第２のＣＣリンケージをＲＲＣ（Ｒａｄｉｏ  Ｒｅｓｏｕｒｃｅ  Ｃｏｎｔｒｏｌ）メッセージを介して受信し、上記アップリンク割当がスケジューリングされる上記アップリンクＣＣは、上記第２のＣＣリンケージによって決定されることを特徴とする項目９に記載の装置。
（項目１４）
上記ＣＱＩ要求は、上記ＣＱＩ報告の発生と上記第２のＣＣリンケージを指示することを特徴とする項目１３に記載の装置。
（項目１５）
上記第２のＣＣリンケージは、上記複数のダウンリンクＣＣのうち上記ＣＱＩが報告されるダウンリンクＣＣのリストを含むことを特徴とする項目１４に記載の装置。
【発明の効果】
【００１５】
クロス搬送波スケジューリングが可能な多重搬送波システムで制御信号を送信することができる技法が紹介される。より具体的に、チャネル品質を報告することができる方法及び装置が提案される。
【図面の簡単な説明】
【００１６】
【図１】３ＧＰＰ  ＬＴＥにおけるダウンリンク無線フレームの構造を示す。
【図２】既存３ＧＰＰ  ＬＴＥにおけるＣＱＩ報告を示す。
【図３】多重搬送波の一例を示す。
【図４】多重搬送波運営の一例を示す。
【図５】クロス−搬送波スケジューリングの一例を示す。
【図６】本発明の一実施例に係る動作を記述するための図面である。
【図７】本発明の一実施例に係るＣＱＩ報告方法を示す流れ図である。
【図８】本発明の実施例が具現される無線通信システムを示すブロック図である。
【発明を実施するための形態】
【００１７】
端末（Ｕｓｅｒ  Ｅｑｕｉｐｍｅｎｔ；ＵＥ）は、固定されたり、或いは移動性を有することができ、ＭＳ（ｍｏｂｉｌｅ  ｓｔａｔｉｏｎ）、ＭＴ（ｍｏｂｉｌｅ  ｔｅｒｍｉｎａｌ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）、ＰＤＡ（ｐｅｒｓｏｎａｌ  ｄｉｇｉｔａｌ  ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語で呼ばれることがある。
【００１８】
基地局は、一般的に端末と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることがある。
【００１９】
各基地局は、特定の地理的領域（一般的にセルという）に対して通信サービスを提供する。また、セルは複数の領域（セクターという）に分けられる。
【００２０】
図１は、３ＧＰＰ  ＬＴＥにおけるダウンリンク無線フレームの構造を示す。これは３ＧＰＰ  ＴＳ  ３６．２１１  Ｖ８．７．０（２００９−０５）“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ  ８）”の６節を参照することができる。
【００２１】
無線フレーム（ｒａｄｉｏ  ｆｒａｍｅ）は０〜１９のインデックスが付けられた２０個のスロット（ｓｌｏｔ）で構成され、一つのサブフレーム（ｓｕｂｆｒａｍｅ）は２個のスロットで構成される。一つのサブフレームの送信にかかる時間をＴＴＩ（ｔｒａｎｓｍｉｓｓｉｏｎ  ｔｉｍｅ  ｉｎｔｅｒｖａｌ）といい、例えば、一つのサブフレームの長さは１ｍｓであり、一つのスロットの長さは０．５ｍｓである。
【００２２】
一つのスロットは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含むことができる。ＯＦＤＭシンボルは、３ＧＰＰ  ＬＴＥがダウンリンク（ｄｏｗｎｌｉｎｋ；ＤＬ）でＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）を使用するため、時間領域で一つのシンボル区間（ｓｙｍｂｏｌ  ｐｅｒｉｏｄ）を表現するためのものに過ぎず、多重接続方式や名称に制限をおくものではない。例えば、ＯＦＤＭシンボルは、ＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボル、シンボル区間など、他の名称で呼ばれることがある。
【００２３】
一つのスロットは、７ＯＦＤＭシンボルを含むことを例示的に記述するが、ＣＰ（Ｃｙｃｌｉｃ  Ｐｒｅｆｉｘ）の長さによって一つのスロットに含まれるＯＦＤＭシンボルの数は変わることができる。３ＧＰＰ  ＴＳ  ３６．２１１  Ｖ８．７．０によると、正規ＣＰで１スロットは７ＯＦＤＭシンボルを含み、拡張（ｅｘｔｅｎｄｅｄ）ＣＰで１スロットは６ＯＦＤＭシンボルを含む。
【００２４】
リソースブロック（ｒｅｓｏｕｒｃｅ  ｂｌｏｃｋ；ＲＢ）は、リソース割当単位であり、一つのスロットで複数の副搬送波を含む。例えば、一つのスロットは時間領域で７個のＯＦＤＭシンボルを含み、リソースブロックは周波数領域で１２個の副搬送波を含む場合、一つのリソースブロックは７×１２個のリソース要素（ｒｅｓｏｕｒｃｅ  ｅｌｅｍｅｎｔ；ＲＥ）を含むことができる。
【００２５】
ＤＬ（ｄｏｗｎｌｉｎｋ）サブフレームは、時間領域で制御領域（ｃｏｎｔｒｏｌ  ｒｅｇｉｏｎ）とデータ領域（ｄａｔａ  ｒｅｇｉｏｎ）とに分けられる。制御領域は、サブフレーム内の１番目のスロットの前方部の最大３個のＯＦＤＭシンボルを含むが、制御領域に含まれるＯＦＤＭシンボルの個数は変わることができる。制御領域にはＰＤＣＣＨ及び他の制御チャネルが割り当てられ、データ領域にはＰＤＳＣＨが割り当てられる。
【００２６】
３ＧＰＰ  ＴＳ  ３６．２１１  Ｖ８．７．０に開示されているように、３ＧＰＰ  ＬＴＥにおける物理チャネルは、データチャネルであるＰＤＳＣＨ（Ｐｈｙｓｉｃａｌ  Ｄｏｗｎｌｉｎｋ  Ｓｈａｒｅｄ  Ｃｈａｎｎｅｌ）とＰＵＳＣＨ（Ｐｈｙｓｉｃａｌ  Ｕｐｌｉｎｋ  Ｓｈａｒｅｄ  Ｃｈａｎｎｅｌ）、及び制御チャネルであるＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）及びＰＵＣＣＨ（Ｐｈｙｓｉｃａｌ  Ｕｐｌｉｎｋ  Ｃｏｎｔｒｏｌ  Ｃｈａｎｎｅｌ）に分けられる。
【００２７】
サブフレームの最初ＯＦＤＭシンボルで送信されるＰＣＦＩＣＨは、サブフレーム内で制御チャネルの送信に使われるＯＦＤＭシンボルの数（即ち、制御領域の大きさ）に関するＣＦＩ（ｃｏｎｔｒｏｌ  ｆｏｒｍａｔ  ｉｎｄｉｃａｔｏｒ）を運ぶ。まず、端末は、ＰＣＦＩＣＨ上にＣＦＩを受信した後、ＰＤＣＣＨをモニタリングする。
【００２８】
ＰＨＩＣＨは、アップリンクＨＡＲＱ（ｈｙｂｒｉｄ  ａｕｔｏｍａｔｉｃ  ｒｅｐｅａｔ  ｒｅｑｕｅｓｔ）のためのＡＣＫ（ｐｏｓｉｔｉｖｅ−ａｃｋｎｏｗｌｅｄｇｅｍｅｎｔ）／ＮＡＣＫ（ｎｅｇａｔｉｖｅ−ａｃｋｎｏｗｌｅｄｇｅｍｅｎｔ）信号を運ぶ。端末により送信されるＰＵＳＣＨ上のＵＬ（ｕｐｌｉｎｋ）データに対するＡＣＫ／ＮＡＣＫ信号はＰＨＩＣＨ上に送信される。
【００２９】
ＰＤＣＣＨを介して送信される制御情報をダウンリンク制御情報（ｄｏｗｎｌｉｎｋ  ｃｏｎｔｒｏｌ  ｉｎｆｏｒｍａｔｉｏｎ；ＤＣＩ）という。ＤＣＩは、ＰＤＳＣＨのリソース割当（これをＤＬグラント（ｄｏｗｎｌｉｎｋ  ｇｒａｎｔと呼ばれることがある）、ＰＵＳＣＨのリソース割当（これをＵＬグラント（ｕｐｌｉｎｋ  ｇｒａｎｔと呼ばれることがある）、任意のＵＥグループ内の個別ＵＥに対する送信パワー制御命令の集合及び／またはＶｏＩＰ（Ｖｏｉｃｅ  ｏｖｅｒ  Ｉｎｔｅｒｎｅｔ  Ｐｒｏｔｏｃｏｌ）の活性化を含むことができる。
【００３０】
ＰＤＣＣＨ上のＤＣＩはブラインドデコーディング（ｂｌｉｎｄ  ｄｅｃｏｄｉｎｇ）を介して受信される。一つのサブフレームの制御領域内で複数の候補（ｃａｎｄｉｄａｔｅ）ＰＤＣＣＨが送信されることができる。端末はサブフレーム毎に複数の候補ＰＤＣＣＨをモニタリングする。ここで、モニタリングとは、端末がモニタリングされるＰＤＣＣＨフォーマットによってＰＤＣＣＨの各々のデコーディングを試みることである。端末は、サブフレーム内でＰＤＣＣＨ候補（ｃａｎｄｉｄａｔｅ）の集合をモニタリングして自身のＰＤＣＣＨを探す。例えば、もし、該当するＰＤＣＣＨで端末の識別子（例えば、Ｃ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ））をデマスキング（ｄｅｍａｓｋｉｎｇ）してＣＲＣ（Ｃｙｃｌｉｃ  Ｒｅｄｕｎｄａｎｃｙ  Ｃｈｅｃｋ）エラーが検出されないと、端末は自身のＤＣＩを有するＰＤＣＣＨを検出する。
【００３１】
ＤＬデータを受信するために、まず、端末はＰＤＣＣＨ上にＤＬグラントを受信する。ＤＬグラントを用いてＰＤＳＣＨ上のＤＬデータを受信する。また、ＵＬデータを送信するために、まず、端末はＰＤＣＣＨ上にＵＬグラントを受信する。ＵＬグラントを用いてＰＵＳＣＨ上にＵＬデータを送信する。
【００３２】
ＰＢＣＨ（Ｐｈｙｓｉｃａｌ  Ｂｒｏａｄｃａｓｔ  Ｃｈａｎｎｅｌ）は、無線フレームの最初のサブフレームの２番目のスロットの前方部の４個のＯＦＤＭシンボルで送信される。ＰＢＣＨは、端末と基地局の通信に必須なシステム情報を運び、ＰＢＣＨを介して送信されるシステム情報をＭＩＢ（ｍａｓｔｅｒ  ｉｎｆｏｒｍａｔｉｏｎ  ｂｌｏｃｋ）という。これに対し、ＰＤＣＣＨにより指示されるＰＤＳＣＨ上に送信されるシステム情報をＳＩＢ（ｓｙｓｔｅｍ  ｉｎｆｏｒｍａｔｉｏｎ  ｂｌｏｃｋ）という。
【００３３】
以下、３ＧＰＰ  ＴＳ  ３６．２１３  Ｖ８．７．０（２００９−０５）の７．２節を参照し、３ＧＰＰ  ＬＴＥにおけるチャネル品質報告に対して記述する。
【００３４】
図２は、既存３ＧＰＰ  ＬＴＥにおけるＣＱＩ報告を示す。
【００３５】
基地局は、ＤＬサブフレームでＰＤＣＣＨ上にＣＱＩ要求２０１を送る。ＣＱＩ要求２０１は、ＤＣＩフォーマット０またはランダムアクセス応答に含まれる。ＤＣＩフォーマット０は、ＵＬグラントの送信に使われる。ＵＬグラントは、ＰＵＳＣＨのためのＵＬリソース割当をさらに含む。
【００３６】
ＣＱＩ要求２０１は、１ビットフィールドであり、ＣＱＩ報告の発生（ｔｒｉｇｇｅｒ）可否を指示する。例えば、ＣＱＩ要求２０１の値が‘１’にセッティングされると、基地局が端末にＣＱＩ報告を要求することである。
【００３７】
ＣＱＩ要求２０１がＣＱＩ報告の発生を指示すると、端末はＰＵＳＣＨ上にＣＱＩ２０２を基地局に送る。
【００３８】
基地局の要求によって端末がＣＱＩを報告するため、これを非周期的（ａｐｅｒｉｏｄｉｃ）ＣＱＩ報告という。
【００３９】
３ＧＰＰ  ＬＴＥでは、ＣＱＩフィードバックタイプが三つある：広帯域（Ｗｉｄｅｂａｎｄ）、端末選択（ＵＥ  ｓｅｌｅｃｔｅｄ）、及び上位階層構成（Ｈｉｇｈｅｒ  ｌａｙｅｒ−ｃｏｎｆｉｇｕｒｅｄ）。また、ＰＭＩフィードバックタイプも、Ｎｏ  ＰＭＩ、Ｓｉｎｇｌｅ  ＰＭＩ、及びＭｕｌｔｉｐｌｅ  ＰＭＩの三つがある。ＣＱＩフィードバックタイプとＰＭＩフィードバックタイプによって、次の表のように送信モードが分けられる。
【００４０】
【表１】
0005456910.tif 000002
【００４１】
モード１−２によると、各サブバンドでデータが送信されるという仮定下にＰＭＩが選択される。端末は、システム帯域または上位レイヤで指定した帯域（これを集合Ｓという）全体に対して選択されたＰＭＩを仮定してＣＱＩを決定する。端末は、ＣＱＩと各サブバンドのＰＭＩを送信する。集合Ｓに含まれるサブバンドまたは全体帯域のＣＱＩが送信されるため、広帯域ＣＱＩという。各サブバンの大きさは、システム帯域の大きさによって変わることができる。
【００４２】
モード２−０によると、端末は、システム帯域または集合Ｓ内で好むＭ（Ｍ＞０）個のサブバンドを選択する。端末は、選択されたＭ個のサブバンドに対するＣＱＩ（これをサブバンドＣＱＩという）を決定する。また、端末は、追加にシステム帯域または集合Ｓに対する広帯域ＣＱＩを決定する。端末は、選択されたＭ個のサブバンド、選択されたＭ個のサブバンドに対する一つのＣＱＩ、及び広帯域ＣＱＩを送信する。
【００４３】
モード２−２によると、Ｍ個の選好サブバンドとＭ個の選好サブバンドに対する単一ＰＭＩを決定する。また、端末は、追加にシステム帯域または集合Ｓに対する広帯域ＣＱＩを決定する。端末は、選択されたＭ個のサブバンド、選択されたＭ個のサブバンドに対する一つのＣＱＩ、選択されたＭ個のサブバンドに対する単一ＰＭＩ、及び広帯域ＣＱＩを送信する。
【００４４】
モード３−０によると、端末は広帯域ＣＱＩを決定する。また、端末は、各サブバンドに対するＣＱＩを決定する。
【００４５】
モード３−１によると、端末は、システム帯域または集合Ｓに対する単一ＰＭＩを決定する。端末は、前記単一ＰＭＩを仮定して各サブバンドに対するサブバンドＣＱＩと広帯域ＣＱＩを決定する。
【００４６】
一方、無線通信システムでアップリンク電力制御が使われる。基地局は、チャネル環境がよくない場合にはアップリンク送信電力を高め、チャネル環境が良い場合にはアップリンク送信電力を低める。過度な送信電力による隣接セルへの干渉を減らし、電力使用量を可能な最適化するようにすることである。
【００４７】
３ＧＰＰ  ＬＴＥで、アップリンク送信電力制御に使われることがＴＰＣ（Ｔｒａｎｓｍｉｔ  Ｐｏｗｅｒ  Ｃｏｍｍａｎｄ）であり、ＰＵＣＣＨとＰＵＳＣＨは、各々、独立的に送信電力が制御される。一般的に、ＨＡＲＱ  ＡＣＫ／ＮＡＣＫ信号の送信に使われるＰＵＣＣＨのためのＴＰＣは、ＤＬグラントに含まれる。また、ＰＵＳＣＨに対するＴＰＣは、ＵＬグラントに含まれる。
【００４８】
以下、多重搬送波（ｍｕｌｔｉｐｌｅ  ｃａｒｒｉｅｒ）システムに対して記述する。
【００４９】
より高いデータレートをサポートするために、複数のコンポーネント搬送波（ｃｏｍｐｏｎｅｎｔ  ｃａｒｒｉｅｒ；ＣＣ）をサポートする多重搬送波システムが考慮されている。
【００５０】
スペクトラム集成（ｓｐｅｃｔｒｕｍ  ａｇｇｒｅｇａｔｉｏｎ）（または、帯域幅集成（ｂａｎｄｗｉｄｔｈ  ａｇｇｒｅｇａｔｉｏｎ）、搬送波集成（ｃａｒｒｉｅｒ  ａｇｇｒｅｇａｔｉｏｎ）という）は、複数のＣＣをサポートするものである。スペクトラム集成は、増加されるスループット（ｔｈｒｏｕｇｈｐｕｔ）をサポートし、広帯域ＲＦ（ｒａｄｉｏ  ｆｒｅｑｕｅｎｃｙ）素子の導入による費用増加を防止し、既存システムとの互換性を保障するために導入されるものである。例えば、２０ＭＨｚ帯域幅を有する搬送波単位のグラニュラリティ（ｇｒａｎｕｌａｒｉｔｙ）として５個のＣＣが割り当てられると、最大１００Ｍｈｚの帯域幅をサポートすることができる。
【００５１】
図３は、多重搬送波の一例を示す。ＤＬ  ＣＣとＵＬ  ＣＣが各々３個ずつあるが、ＤＬ  ＣＣとＵＬ  ＣＣの個数に制限があるものてはない。各ＤＬ  ＣＣでＰＤＣＣＨとＰＤＳＣＨが独立的に送信され、各ＵＬ  ＣＣでＰＵＣＣＨとＰＵＳＣＨが独立的に送信される。
【００５２】
図４は、多重搬送波運営の一例を示す。多重搬送波システムが複数のＣＣをサポートしても、セルまたは端末の力量（ｃａｐａｂｉｌｉｔｙ）によってサポートされるＣＣの個数が異なる。
【００５３】
使用可能（ａｖａｉｌａｂｌｅ）ＣＣは、システムが使用することができる全てのＣＣを示す。ここでは、ＣＣ＃０〜ＣＣ＃５までの６個のＣＣがある。
【００５４】
割り当てられた（ａｓｓｉｇｎｅｄ）ＣＣは、使用可能ＣＣのうち端末の力量によって基地局が端末に割り当てるＣＣである。ＣＣ＃０〜ＣＣ＃３が割り当てられたＣＣであることを示しているが、割り当てられたＣＣの個数は、使用可能ＣＣの個数より小さい、或いは同じである。
【００５５】
活性（ａｃｔｉｖｅ）ＣＣは、端末が基地局との制御信号及び／またはデータの受信及び／または送信に使用するＣＣである。端末は、活性ＣＣのうち一部または全部に対してＰＤＣＣＨモニタリング及び／またはＰＤＳＣＨのバッファリング（ｂｕｆｆｅｒｉｎｇ）を実行することができる。活性ＣＣは、割り当てられたＣＣの中で活性化または非活性化されることができる。活性ＣＣのうち常に活性化されているＣＣを基準ＣＣという。
【００５６】
多重搬送波システムで、ＤＬ  ＣＣとＵＬ  ＣＣとの間のＣＣリンケージ（ｌｉｎｋａｇｅ）が定義されることができる。ＣＣリンケージは、ＵＬグラントを運ぶＰＤＣＣＨが送信されるＤＬ  ＣＣと前記ＵＬグラントによりスケジューリングされるＵＬ  ＣＣとの間のマッピング関係を意味する。または、ＣＣリンケージは、ＨＡＲＱのためのデータが送信されるＤＬ  ＣＣ（またはＵＬ  ＣＣ）とＨＡＲＱ  ＡＣＫ／ＮＡＣＫ信号が送信されるＵＬ  ＣＣ（またはＤＬ  ＣＣ）との間のマッピング関係を意味する。または、ＣＣリンケージは、ＣＱＩ報告の対象になるＤＬ  ＣＣとＣＱＩを送信するためのＵＬ  ＣＣとの関係を意味する。
【００５７】
図３の例は、ＤＬ  ＣＣとＵＬ  ＣＣが１：１にマッピングされる対称的（ｓｙｍｍｅｔｅｒｉｃ）ＣＣリンケージを示す。
【００５８】
ＣＣリンケージは、次のような静的であるＣＣリンケージと動的なＣＣリンケージ設定方式が可能である。
【００５９】
第１の方式は、ＣＣリンケージが固定されることである。これを固定（ｆｉｘｅｄ）ＣＣリンケージまたは静的（ｓｔａｔｉｃ）ＣＣリンケージという。これは共用情報であるシステム情報でシグナリングされることができる。静的ＣＣリンケージを介してＵＬグラントによりスケジューリングされるＵＬ  ＣＣを決定することができるため、ＵＥ別に送信される別途のＵＬ  ＣＣとＤＬ  ＣＣとの間のリンケージ設定のためのシグナリングが必要ない。
【００６０】
第２の方式は、ＣＣリンケージが動的にまたは半静的に変わったり、或いはオーバーライド（ｏｖｅｒｒｉｄｅ）されることである。これを動的ＣＣリンケージという。これは、ＲＲＣ（Ｒａｄｉｏ  Ｒｅｓｏｕｒｃｅ  Ｃｏｎｔｒｏｌ）メッセージまたはＬ１／Ｌ２シグナリングを介して基地局が端末に知らせることができる。動的ＣＣリンケージは、端末−特定的（この時、ＣＣ別特定的であり、或いはＣＣ共通である）、端末グループ−特定的、またはセル−特定的であり、１：１対応、１：Ｍ、またはＭ：１対応である。
【００６１】
ＣＣスケジューリングは、二つの方法が可能である。
【００６２】
第１の方法は、固定されたＣＣリンケージを活用することである。ＤＬ  ＣＣを介してＵＬグラントが送信され、静的ＣＣリンケージによって前記ＤＬ  ＣＣにリンクされたＵＬ  ＣＣを介して前記ＵＬグラントを用いてＵＬ送信ブロックが送信される。既に定義されたＣＣリンケージを介してＵＬグラントによりスケジューリングされるＵＬ  ＣＣを決定することができるため、別途のシグナリングが必要ない。
【００６３】
第２の方法は、スケジューリング対象ＣＣを直接指示することである。例えば、ＰＤＣＣＨとＰＤＳＣＨが互いに異なるＤＬ  ＣＣで送信されたり、或いはＰＤＣＣＨが送信されたＤＬ  ＣＣとリンケージされないＵＬ  ＣＣを介してＰＵＳＣＨが送信されることである。これをクロス−搬送波（ｃｒｏｓｓ−ｃａｒｒｉｅｒ）スケジューリングという。
【００６４】
図５は、クロス−搬送波スケジューリングの一例を示す。ＤＬ  ＣＣ＃０とＵＬ  ＣＣ＃０がリンクされており、ＤＬ  ＣＣ＃１とＵＬ  ＣＣ＃１がリンクされており、ＤＬ  ＣＣ＃２とＵＬ  ＣＣ＃２がリンクされていると仮定する。
【００６５】
ＤＬ  ＣＣ＃０の第１のＰＤＣＣＨ７０１は、同じＤＬ  ＣＣ＃０のＰＤＳＣＨ７０２に対するＤＣＩを運ぶ。ＤＬ  ＣＣ＃０の第２のＰＤＣＣＨ７１１は、ＤＬ  ＣＣ＃１のＰＤＳＣＨ７１２に対するＤＣＩを運ぶ。ＤＬ  ＣＣ＃０の第３のＰＤＣＣＨ７２１は、リンクされていないＵＬ  ＣＣ＃２のＰＵＳＣＨ７２２に対するＤＣＩを運ぶ。
【００６６】
クロス−搬送波スケジューリングのために、ＰＤＣＣＨのＤＣＩは、ＣＩＦ（ｃａｒｒｉｅｒ  ｉｎｄｉｃａｔｏｒ  ｆｉｅｌｄ）を含むことができる。ＣＩＦは、ＤＣＩを介してスケジューリングされるＤＬ  ＣＣまたはＵＬ  ＣＣを指示する。ＣＩＦは、ＤＣＩを介してスケジューリングされるＤＬ  ＣＣのインデックスまたはＵＬ  ＣＣのインデックスを含むことができる。例えば、第２のＰＤＣＣＨ７１１は、ＤＬ  ＣＣ＃１を示すＣＩＦを含むことができる。第３のＰＤＣＣＨ７２１は、ＵＬ  ＣＣ＃２を示すＣＩＦを含むことができる。
【００６７】
前述したように、既存３ＧＰＰ  ＬＴＥは、ＵＬ周波数帯域とＤＬ周波数帯域が互いに対応し、ＵＬ  ＣＣとＤＬ  ＣＣが各々一個に過ぎない。従って、ＤＬグラントのためのＤＣＩに含まれるＴＰＣは、ＤＬ  ＣＣに対応されるＵＬ  ＣＣに対する制御情報になり、ＵＬグラントのためのＤＣＩに含まれるＣＱＩ要求は、スケジューリングされたＵＬ  ＣＣに対応されるＤＬ  ＣＣに対する制御情報になる。
【００６８】
然しながら、複数のＣＣが使われる多重搬送波システムで、既存３ＧＰＰ  ＬＴＥによる構造によると、模糊性が発生することができる。
【００６９】
より具体的に、ＤＬ  ＣＣ＃０を介して送信される第３のＰＤＣＣＨ７２１は、ＵＬ  ＣＣ＃２をスケジュールするためのＵＬグラントを運ぶ。ＵＬ  ＣＣ＃２は、ＤＬ  ＣＣ＃２とリンクされていると仮定する。この時、ＵＬグラントにＣＱＩ要求が含まれるとする時、このＣＱＩ要求が一つのＤＬ  ＣＣに対するＣＱＩか、或いはＤＬ  ＣＣグループ（または全体ＣＣ）に対するＣＱＩか、或いはその対象ＤＬ  ＣＣは何であるかが不明確である。
【００７０】
一例に、一つのＣＣに対するＣＱＩ要求である場合、このＣＱＩ要求が第３のＰＤＣＣＨ７２１が送信されるＤＬ  ＣＣ＃０に対するＣＱＩ報告を要求するか、或いはＵＬグラントがスケジューリングされるＵＬ  ＣＣ＃２とリンクされているＤＬ  ＣＣ＃２に対するＣＱＩ報告を要求するかが不明確である。
【００７１】
図６は、本発明の一実施例に係る動作を記述するための図面である。ＤＬ  ＣＣとＵＬ  ＣＣが各々５個あるが、ＣＣの個数に制限があるものてはない。静的ＣＣリンケージによると、ＤＬ  ＣＣ＃ｋ（０＜＝ｋ＜＝４）がＵＬ  ＣＣ＃ｋに各々リンクされると仮定する。静的ＣＣリンケージは、基地局が端末にシステム情報の一部（ＭＩＢまたはＳＩＢ）として知らせることができる。
【００７２】
ＣＩＦは３ビットであり、各値は、以下のように定義されると仮定する。
【００７３】
【表２】
0005456910.tif 000003
【００７４】
以下、ＵＬグラント内のＣＩＦのＣＣインデックスは、前記ＵＬグラントによりスケジューリングされるＵＬ  ＣＣのインデックスという。然しながら、他の例に、ＵＬグラント内のＣＩＦのＣＣインデックスは、前記ＵＬグラントによりスケジューリングされるＵＬ  ＣＣとリンクされたＤＬ  ＣＣのインデックスである。
【００７５】
ＤＬ  ＣＣ＃１の第１のＰＤＣＣＨ８０１のＤＣＩは、ＵＬ  ＣＣ＃０をスケジューリングするためのＵＬグラントを含む。前記ＵＬグラントは、ＵＬリソース割当８０２、ＣＱＩ要求、及びＣＩＦを含む。
【００７６】
ＣＱＩ要求の値が０の場合にはＣＱＩ報告が発生されず、ＣＱＩ要求の値が１の場合にはＣＱＩ報告が発生されると仮定する。
【００７７】
第１のＰＤＣＣＨ８０１のＵＬグラントに含まれるＣＩＦの値は、ＵＬ  ＣＣ＃０のインデックスである０に設定されると仮定する。ＣＱＩ報告が発生すると、端末は、ＣＣインデックス０であるＵＬ  ＣＣ（即ち、ＵＬ  ＣＣ＃０）にリンクされたＤＬ  ＣＣ＃０に対するＣＱＩを報告することができる。即ち、ＣＱＩ報告が発生すると、端末は、ＵＬグラント内のＣＩＦが指示するＵＬ  ＣＣにリンクされたＤＬ  ＣＣのＣＱＩを報告する。
【００７８】
ＣＱＩ報告が発生されると仮定し、ＣＩＦの値が動的ＣＣリンケージを示す７に設定されると仮定する。ＣＩＦの値が７の場合、ＵＬグラントがスケジューリングされるＵＬ  ＣＣは予め指定されることができる。本例ではＣＩＦの値が７の場合、ＵＬ  ＣＣ＃０を示すと仮定する。動的ＣＣリンケージを示すＣＩＦ値は、例示に過ぎず、任意の特定値に指定されることができる。ＣＩＦ値が動的ＣＣリンケージを示す時、ＵＬグラントによりスケジューリングされるＵＬ  ＣＣは、ＲＲＣメッセージのような上位階層メッセージにより定義されるＵＬ  ＣＣであり、或いは制御信号を送信するように予め指定されたＵＬ  ＣＣである。
【００７９】
動的ＣＣリンケージは、ＣＱＩ報告のためのＣＣマッピングを示す。動的ＣＣリンケージは、次の三つのタイプのうち少なくともいずれか一つを示すことができる。
【００８０】
（１）全ての使用可能なＤＬ  ＣＣ
【００８１】
（２）全ての活性ＤＬ  ＣＣ
【００８２】
（３）全ての割り当てられたＤＬ  ＣＣ
【００８３】
（４少なくとも一つのＤＬ  ＣＣを含むＤＬ  ＣＣグループ（または、ＤＬ  ＣＣリスト）
【００８４】
即ち、動的ＣＣリンケージタイプ（４）が使われると、端末はＤＬ  ＣＣグループ内のＤＬ  ＣＣに対するＣＱＩを報告する。
【００８５】
動的ＣＣリンケージは、予め定義されたり、或いはＲＲＣ（Ｒａｄｉｏ  Ｒｅｓｏｕｒｃｅ  Ｃｏｎｔｒｏｌ）メッセージまたはＬ１／Ｌ２シグナリングを介して基地局が端末に知らせることができる。動的ＣＣリンケージは、端末−特定的、端末グループ−特定的、またはセル−特定的である。動的ＣＣリンケージは、ＣＣ別特定的であり、或いはＣＣ共通である。
【００８６】
いずれのタイプの動的ＣＣリンケージが使われるかは、基地局が端末にＲＲＣメッセージを介して知らせることができる。動的ＣＣリンケージタイプ（４）が使われると、ＣＱＩが報告されるＤＬ  ＣＣグループに関する情報を基地局が端末にＲＲＣメッセージを介して知らせることができる。
【００８７】
一つまたはその以上の動的ＣＣリンケージが使われることができる。表２の例で、ＣＩＦ値が６の場合、動的ＣＣリンケージタイプ（１）を示し、ＣＩＦ値が７の場合、動的ＣＣリンケージタイプ（４）を示すことができる。または、動的ＣＣリンケージタイプ（４）を複数個指定し、ＣＩＦを介して各々を指定することもできる。例えば、ＣＩＦ値が６の場合にはＤＬ  ＣＣ＃０と＃１を示し、ＣＩＦ値が７の場合にはＤＬ  ＣＣ＃２〜＃４を示す。
【００８８】
ＤＬ  ＣＣ＃２の第２のＰＤＣＣＨ８１１のＤＣＩは、ＤＬ  ＣＣ＃３のためのＤＬグラントを含む。ＤＬグラントは、ＤＬリソース割当８１２、ＣＩＦ、及びＴＰＣを含む。ＣＩＦの値は、ＤＬ  ＣＣ＃３のインデックスである３に設定されると仮定する。ＴＰＣは、ＤＬ  ＣＣ＃３にリンクされたＵＬ  ＣＣ＃３に対するＴＰＣである。または、ＴＰＣは、第２のＰＤＣＣＨ８１１が送信されるＤＬ  ＣＣ＃２にリンクされたＵＬ  ＣＣ＃２に対するＴＰＣである。
【００８９】
本例で、ＴＰＣがＤＬグラントに含まれることを例示しているが、ＴＰＣはＵＬグラントに含まれることができる。この時、ＴＰＣは、ＣＩＦにより指示されるＵＬ  ＣＣに対するＴＰＣである。または、ＴＰＣは、ＵＬグラントが送信されるＤＬ  ＣＣにリンクされたＵＬ  ＣＣに対するＴＰＣである。
【００９０】
提案された発明は、ＣＱＩ報告及び／またはＴＰＣ送信だけでなく、他の制御信号にも適用されることができる。ＣＱＩ要求は、基地局が端末に該当ＤＬ  ＣＣ（またはＵＬ  ＣＣ）に対する制御信号の設定または誘発を要求する信号であり、制御設定信号または制御誘発信号ということができる。
【００９１】
動的ＣＣリンケージは、ＣＩＦの特定値により設定されることではなく、ＲＲＣメッセージ等により予め定義されることができる。端末は、ＣＱＩ要求が０の場合にはＣＱＩ報告を送らずに、ＣＱＩ要求が１の場合にはＲＲＣメッセージにより設定された動的ＣＣリンケージによってＣＱＩ報告を送ることができる。
【００９２】
前記の例は、ＣＱＩ要求が１ビットである場合を仮定しているが、ＣＱＩ要求のビット数が増加されると、より多様に示すことができる。次の表は、ＣＱＩ要求が２ビットである場合、各値による設定を示す。
【００９３】
【表３】
0005456910.tif 000004
【００９４】
ＣＱＩ要求の値が１の場合、端末は、静的ＣＣリンケージによってＣＱＩを報告する。例えば、ＵＬ  ＣＣ＃１に対するＵＬグラントを受信した端末は、ＵＬ  ＣＣ＃１にリンクされたＤＬ  ＣＣに対するＣＱＩを報告する。ＣＱＩ要求の値が２または３の場合、端末は、以前に定義された第１または第２の動的ＣＣリンケージによってＣＱＩを報告する。第１及び第２の動的ＣＣリンケージは、ＲＲＣメッセージにより設定されることができる。
【００９５】
以下、ＣＱＩ報告に対してより具体的な例を記述する。
【００９６】
図７は、本発明の一実施例に係るＣＱＩ報告方法を示す流れ図である。
【００９７】
端末は、基地局から第１のＣＣリンケージを受信する（Ｓ９１０）。第１のＣＣリンケージは、システム情報の一部として受信されることができ、静的ＣＣリンケージということができる。
【００９８】
端末は、基地局に第２のＣＣリンケージを受信する（Ｓ９２０）。第２のＣＣリンケージは、ＲＲＣメッセージを介して受信されることができ、動的ＣＣリンケージということができる。
【００９９】
端末は、基地局からＣＱＩ要求を含むＵＬグラントを受信する（Ｓ９３０）。例えば、ＣＱＩ要求は、表３のように構成されることができる。
【０１００】
ＣＱＩ要求が誘発されると、端末は、ＣＱＩ要求によってＣＱＩが報告されるＤＬ  ＣＣを決定する（Ｓ９４０）。例えば、ＣＱＩ要求の値が３の場合、端末は、第２のＣＣリンケージ、即ち、動的ＣＣリンケージに基づいてリンクされたＤＬ  ＣＣを決定することができる。または、ＣＱＩ要求の値が２の場合、端末は、第１のＣＣリンケージ、即ち、静的ＣＣリンケージに基づいてリンクされたＤＬ  ＣＣを決定することができる。動的ＣＣリンケージ及び静的ＣＣリンケージによってＤＬ  ＣＣを決定することが図６の実施例で記述されている。
【０１０１】
端末は、決定されたＤＬ  ＣＣに対するＣＱＩを基地局に報告する（Ｓ９５０）。
【０１０２】
図８は、本発明の実施例が具現される無線通信システムを示すブロック図である。
【０１０３】
基地局５０は、プロセッサ（ｐｒｏｃｅｓｓｏｒ）５２、メモリ（ｍｅｍｏｒｙ）５１、及びＲＦ部（ＲＦ（ｒａｄｉｏ  ｆｒｅｑｕｅｎｃｙ）ｕｎｉｔ）５３を含む。メモリ５１は、プロセッサ５２と連結され、プロセッサ５２を駆動するための多様な情報を格納する。ＲＦ部５３は、プロセッサ５２と連結され、無線信号を送信及び／または受信する。プロセッサ５２は、提案された機能、過程及び／または方法を具現する。図６及び図７の実施例で基地局５０の動作はプロセッサ５２により具現されることができる。
【０１０４】
端末６０は、プロセッサ６２、メモリ６１、及びＲＦ部６３を含む。メモリ６１は、プロセッサ６２と連結され、プロセッサ６２を駆動するための多様な情報を格納する。ＲＦ部６３は、プロセッサ６２と連結され、無線信号を送信及び／または受信する。プロセッサ６２は、提案された機能、過程及び／または方法を具現する。図６及び図７の実施例で端末６０の動作は、プロセッサ６２により具現されることができる。
【０１０５】
プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリは、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部は、無線信号を処理するためのベースバンド回路を含むことができる。実施例がソフトウェアで具現される時、前述した技法は、前述した機能を遂行するモジュール（過程、機能など）で具現されることができる。モジュールは、メモリに格納され、プロセッサにより実行されることができる。メモリは、プロセッサの内部または外部にあり、よく知られた多様な手段でプロセッサと連結されることができる。
【０１０６】
前述した例示的なシステムで、方法は、一連のステップまたはブロックで順序図に基づいて説明されているが、本発明は、ステップの順序に限定されるものではなく、あるステップは、前述と異なるステップ、異なる順序にまたは同時に発生することができる。また、当業者であれば、順序０７０３１８ｔｋｄｄｋ０７図に示すステップが排他的でなく、他のステップが含まれたり、或いは順序図の一つまたはその以上のステップが本発明の範囲に影響を及ぼさずに削除可能であることを理解することができる。
【０１０７】
前述した実施例は多様な態様の例示を含む。多様な態様を示すための全ての可能な組合せを記述することはできないが、該当技術分野の通常の知識を有する者は、他の組合せが可能であることを認識することができる。従って、本発明は、特許請求の範囲内に属する全ての交替、修正及び変更を含む。
【図６】
0005456910.tif 000005
【図１】
0005456910.tif 000006
【図２】
0005456910.tif 000007
【図３】
0005456910.tif 000008
【図４】
0005456910.tif 000009
【図５】
0005456910.tif 000010
【図７】
0005456910.tif 000011
【図８】
0005456910.tif 000012